(57)【要約】【課題】  台車の使用者の手がふさがっている状態でも、台車の枠部材を折り畳むだけで自動的に施錠される鍵が設けられていて、流通過程で台車の入れ替わりを防止できる台車を提供する。【解決手段】  荷崩れ防止用の背枠１の内側に起立状態に折り畳まれた荷物載置部たる床板２の前側に側枠３を折り畳むとともに自動的にロックがかかるように構成されたロック手段により、背枠１と側枠３との間に位置する床板２を間接的にロックする。背枠１と側枠３のロック解除は、解除用キーを用いて解除することができる。【選択図】  図４
2014004909.tif 000002
【特許請求の範囲】
【請求項１】
使用状態から所定の部位を折り畳むことにより、平面視においてＬ字状もしくはＩ字状の形状に変形可能な台車であって、前記台車の荷台が、少なくとも荷物を載せるための床板部材と、この床板部材の上方に設けられた左右の側枠部材と背枠部材とから構成され、床板部材は左右の側枠部材、背枠部材の何れか一つの枠部材の内側に折り畳むことができ、折り畳まれた床板部材に対峙する位置に、他の枠部材のいずれか一つを折り畳んだときに、折り畳まれた状態の床板部材を内側に収容している枠部材と、該折り畳んだ枠部材と、が自動的にロックされ、前記床板部材はこれらの枠部材の間にあって折り畳まれた状態に維持されて、この状態が解除用キーで解除されるまで維持されることを特徴とする台車。  
【発明の詳細な説明】
【技術分野】
【０００１】
本発明は、物品の運搬に使用される台車に関し、詳しくは、他人が勝手に使用できないようにした台車に関する。
【背景技術】
【０００２】
従来、物品の運搬に使用される台車は、保管時や車輌運搬時に極力スペースを取らないように、自立状態を維持した状態で平面視においてＬ字状やＩ字状の形状に折り畳むことができるように構成されていて、例えば、図１に示されるような本出願人の発明による台車（特許文献１参照）がある。
【０００３】
そして、台車は自店内での使用に留まらず、商品の引取りなどで取引先にも持ち込むこともあって、このような時、台車が折り畳まれて使用していない状態になっていると、同業者が自分の台車と他人の台車とを取り違えて、持ち主の台車が所在不明になってしまうことが頻繁にあった。
【０００４】
また、流通過程で台車の紛失を防ぐために鍵を使用しようとしても、使用者の手が荷物でふさがっていて台車に鍵をかけることが難しいという問題があった。
【先行技術文献】
【特許文献】
【０００５】
【特許文献１】特許３９２７２２０号公報（第１〜９頁、図１〜１２）
【発明の概要】
【発明が解決しようとする課題】
【０００６】
本発明は、輸送用カゴ台車の所有者や所有者から認証された者だけが使用できるようにした台車を提供することを目的とする。詳しくは、台車の使用者の手がふさがっている状態でも、台車の枠部材を折り畳むだけで自動的に施錠される鍵が設けられていて、流通過程で台車の入れ替わりを防止できる台車を提供する。
【課題を解決するための手段】
【０００７】
上述した課題を解決するために、本発明に係る台車は、使用状態から所定の部位を折り畳むことにより、平面視においてＬ字状もしくはＩ字状に変形可能な台車であって、前記台車の荷台が、少なくとも荷物を載せるための床板部材と、この床板部材の上方に設けられた左右の側枠部材と背枠部材とから構成され、床板部材は左右の側枠部材、背枠部材の何れか一つの枠部材の内側に折り畳むことができ、折り畳まれた床板部材に対峙する位置に、他の枠部材のいずれか一つを折り畳んだときに、折り畳まれた状態の床板部材を内側に収容している枠部材と、該折り畳んだ枠部材と、が自動的にロックされ、前記床板部材はこれらの枠部材の間にあって折り畳まれた状態に維持されて、この状態が解除用キーで解除されるまで維持されることを特徴とするものである。
【０００８】
台車は、荷物を載せる平面視において矩形の床板部材と、通常使用において前記床板部材の床板上への荷物の積込み口また取出し口とされる開放もしくは開閉扉を設けた台車正面たる床板正面側に対し、同左右側と背側の床板辺部の上方に荷物の外部崩れを防止する左右の側枠部材と背枠部材を設けた荷台を有している。
【０００９】
そして、床板部材を左右の側枠部材、背枠部材の何れか一つの枠部材の内側に折り畳めるようにし、具体的には、背枠部材の内側すなわち内面側に折り畳むようにした場合は、床板部材が該背枠部材の内側に起立した状態で折り畳まれて位置するようにする。
【００１０】
さらには、左右の側枠部材の一方もしくは両方も背枠部材内側に折り畳めるようにし、具体的には、上述の床板部材を背枠部材の内側すなわち内面側に折り畳むようにした場合であれば、右側枠部材を背枠部材内側に折り畳むことにより同右側枠部材が、背枠部材の内側に起立した状態で折り畳まれて位置する床板部材と対峙（並列）して位置するようにし、また左側枠部材も背枠部材内側に折り畳めるようにした場合は、該左側枠部材を背枠部材内側に折り畳むことにより同左側枠部材が右側枠部材と対峙（並列）して位置するようにする。
【００１１】
したがって、左右の側枠部材の一方を背枠部材内側に折り畳めるものは、平面視においてＬ字状の形状に折り畳める台車で、左右の側枠部材の両方を背枠部材内側に折り畳めるものは、平面視においてＩ字状の形状に折り畳める台車である。
【００１２】
そして、折り畳まれた状態の床板部材は、この折り畳まれた状態を維持できるようにすると共に、この折り畳んだ状態を解除する際は、認証された者、例えば台車の所有者や台車の所有者から認証された者が解除できるように構成する。
【００１３】
すなわち、何れか一つの枠部材を折り畳んだときに、該折り畳まれた床板部材が内側に位置する枠部材（例えば、背枠部材）と、該折り畳んだ枠部材（例えば、台車正面向かって右側の側枠部材）と、が自動的にロックされ、前記床板部材はこれらの枠部材の間に位置することによって折り畳まれた状態に維持され、このロックされた状態が解除用キーで解除されるまで維持されるように構成する。
【００１４】
上述のロックとは、少なくとも折り畳まれた床板部材の復帰を阻止できるようにすることであり、したがって、折り畳んだ床板部材が多少動く遊びを有するロック構造でも、折り畳んだ床板部材の動きをほぼ１００％封じる固定的なロック構造のどちらを選定してもよく、台車の形態に適する方を用いればよい。またロックは、枠部材の何れか一つを折り畳んだときに自動で施錠されるようにするのがよい。
【００１５】
また、台車には使用状態のときに荷台の４隅に位置する移動用キャスターが設けられていて、該キャスターは、台車を使用状態から所定の部位を折り畳んで平面視においてＬ字状もしくはＩ字状に変形させた場合に、台車の折り畳み動作に追従もしくは連動して同折り畳み形態に適する位置に移動可能にするのがよい。
【００１６】
キャスターの具体的な配置としては、背枠部材の左右両側にそれぞれ１個ずつ配置すると共に、左右の側枠部材における左側枠部材および右側枠部材の背枠部材と反対側の端部にそれぞれ１個ずつ配置する。
【００１７】
また、Ｉ字状に折り畳めるようにした台車では、同Ｉ字状に折り畳んだ台車の転倒を防止する転倒防止手段を備えるのが望ましく、具体的には、台車をＩ字状に折り畳んだ際、床板部材の床板上への荷物の積込み口また取出し口とされる開放もしくは開閉扉を設けた台車正面側に突出する補助キャスターを備えている。
【発明の効果】
【００１８】
本発明に係る台車によれば、この台車は、台車の所有者や同所有者から認証された者以外の第３者が勝手に使用することができない。すなわち、荷物を載せる床板部材を折り畳んでこの状態を維持させる操作をすることによって同床板部材が折り畳んだ状態にロックされ、且つ、同ロック状態は、台車の所有者や同所有者から認証された者だけが解除できる。
【００１９】
以上のように、商品の引取りなどで台車を折り畳んだ状態で取引先に持ち込んだ場合でも、他人が該台車の所有者に断りなしに勝手に使用することができないので、他人が流通過程で台車を取り違えて持ち去ることを防ぐことができる。
【図面の簡単な説明】
【００２０】
【図１】カギのない従来の台車を示す斜視図。
【図２】本発明におけるカギの本体ボックスを示す図。
【図３】本発明における台車（『Ｌカーゴ』）の折り畳み過程を示す斜視図。
【図４】本発明における台車（『Ｉカーゴ』）の折り畳み過程を示す斜視図。
【発明を実施するための形態】
【００２１】
本発明の台車を添付の図面に基づいて説明するが、本実施例に示した台車は、平面視においてＩ字状に折り畳めるようにした台車である。
【００２２】
図３，４によれば、荷崩れ防止用の背枠１の内側に起立状態に折り畳んだ荷物載置部たる床板２の前側に側枠３を折り畳んで、同側枠３を背枠１にロックすることで、すなわち床板２を背枠１と側枠３との間に挟むことで間接的にロックして、該床板２を折り畳んだ状態に維持できるようにしている。符号７は、背枠１の下方に設けた係合具６と係合し且つ係合の解除操作が行われるまで同係合状態を維持する係合機構部および係合解除機構部を収容する背枠１に設けた本体ボックスである。なお、係合具６は、台車や本体ボックス７の形態また本体ボックス７の配置位置によりその形状や構造を適宜決定することから、本実施例中での詳細な形状の図示は省略している。
【００２３】
図２は、背枠１に設ける本体ボックスの一例を示していて、符号７ａは、背枠１内面側の面に配した係合具６が側枠側の本体ボックス７内へ進入する進入口、符号７ｂは、本体ボックス７内の係合機構と係合具６との係合を解除するための、本体ボックス７における背枠１外面側の面に設けられた解除用キー（図示は省略）を差し込むキー孔である。
【００２４】
なお、本体ボックス７内に収容される係合機構部および係合解除機構部は、公知の技術により構成されるが、各機構部は台車の形態などにより適応するものが異なるため、本体ボックス７内に収容する係合機構部および係合解除機構部は本実施例での図示は省略している。
【００２５】
台車における床板２の上方に設けられる荷崩れ防止用の各枠部材（背枠１、側枠３、側枠４）においては、背枠１の両側にそれぞれ側枠３と側枠４が折れ曲がり自在に連結具５によって連結されていて、連結具５の背枠１側はその背枠１に固定され、側枠３および側枠４側はその側枠３および側枠４が連結具５内を遊通しているので、側枠３および側枠４が自由に回動することができる。
【００２６】
本実施例中の符号８は、台車移動用の主キャスター、符号９は、台車をＩ字状に折り畳んだ際の同台車の転倒を防止するための補助キャスターであり、同キャスターの具体的な配置は、背枠１の左右両側にそれぞれ１個ずつ固定していると共に、側枠３および側枠４における背枠１と反対側になる端部にそれぞれ１個ずつ固定して配置されている。
【００２７】
そして、主キャスター８のそれぞれの部材への取り付けは、主キャスター８をそれぞれの部材へ直接的に取り付けてもよいし、他の部材を介在させて取り付けてもよく、ねじなどの固定具を用いる場合もあれば溶接する場合もある。
【００２８】
さらに主キャスター８は、一部（床板２上への荷物の積込み口また取出し口とされる床板２正面側の主キャスター）にブレーキ付きのものを採用し、また全輪が自由に進行方向を変えられる自在車キャスターでも、４隅の所望の部位のみを自在車キャスターにし、他を固定車キャスターにしてもよい。
【００２９】
また、補助キャスター９は、台車を平面視においてＩ字状に折り畳んだ際に同折り畳み状態の台車に対し突出した状態になって台車の転倒を防止するもので（図４（ｄ）を参照）、その突出量は、各枠部材（背枠１、側枠３、側枠４）の高さや床板２の形態などによって決められる。
【００３０】
以下、上述のように構成した本発明に係る台車の作用について説明する。
【００３１】
図３，４に示すように、使用状態の台車における荷物を載せる床板２を背枠１側（図中の矢印Ａ方向）に折り畳み（図３，４の（ａ）図）、次いで、同折り畳んだ床板２の前側に側枠３を折り畳む（図中の矢印Ｂ方向）と（図３，４の（ｂ）図）、該背枠１に設けた係合具６が側枠３に設けた本体ボックス７の進入口７ａから該本体ボックス７内に進入し、同本体ボックス７内に設けている例えば自動係合カギと自動的に係合して背枠１にロックする（図３，４の（ｃ）図）。これにより、床板２が背枠１と側枠３との間に挟まれた状態になり、同背枠１と側枠３とによって間接的にロックされる。次いで、該側枠３の前に側枠４を折り畳む（図中の矢印Ｃ方向）と台車の折り畳み形状が平面視Ｉ字状（図４の（ｄ）図）の形状になる。
【００３２】
平面視I字状の形状にできる台車（『Ｉカーゴ』）については、図４（ａ），（ｂ）に示されるように、側枠３の下方に位置するキャスターがプレートを介して台車の内側に設けられていることによって、該台車を支障なく折り畳むことができ、平面視Ｉ字状の形状に折り畳まれたときにも台車が安定する。
【００３３】
また、背枠１と側枠３とのロックを解除するには、解除用キー（図示は省略）を本体ボックス７のキー孔７ｂに差し込んで所定の操作（例えば、廻す）を行う。
【００３４】
なお、上述の係合具６と自動係合カギとの自動的な係合動作および係合具６と自動係合カギとの係合解除動作について、一般に周知の動作を以下に説明する。但し、本体ボックス７およびキー孔７ｂの位置は、図示した位置に限定しない。
【００３５】
係合具６と自動係合カギとの自動係合動作は、本体ボックス７内に進入した係合具６の例えばリング部が自動係合カギの例えばカギ部を所定の方向に押し退けて該カギ部内に進入し、同進入の完了と共に、所定の方向に押し退けられていた自動係合カギのカギ部が前記リング部と係合可能な位置（初期位置）へ付勢手段によって復帰して係合具６と係合する。
【００３６】
係合具６と自動係合カギとの係合解除動作は、本体ボックス７のキー孔７ｂに解除用キーを差し込んで同解除用キーを所定の方向に廻す。これにより、自動係合カギと係合具６との係合が解除され、また、解除用キーをキー孔７ｂから抜くことにより、該自動係合カギが係合具６と係合可能な初期位置まで復帰する。
【００３７】
解除用キーは、キー孔７ｂから抜く必要のない機械式ダイヤル錠や生体認証を用いる認証キーとしてもよい。本発明の技術的範囲は、他の解除用キーを含む。
【符号の説明】
【００３８】
１…背枠
２…床板
３…側枠
４…側枠
５…連結具
６…係合具
７…本体ボックス
７ａ…進入口
７ｂ…キー孔
８…主キャスター
９…補助キャスター
【図１】
2014004909.tif 000003
【図２】
2014004909.tif 000004
【図３】
2014004909.tif 000005
【図４】
2014004909.tif 000006